【手続補正書】
【提出日】平成19年11月28日(2007.11.28)
【手続補正１】
【補正対象書類名】明細書
【補正対象項目名】特許請求の範囲
【補正方法】変更
【補正の内容】
【特許請求の範囲】
【請求項１】  患者の心拍出量に対応する測定基準を計算するための装置であって、該装置は、以下：
生体電気インピーダンス記録器；
近位部分および遠位部分を有するチューブ；
該遠位端に配置された拡張可能な部材；
該拡張可能な部材上に配置され、そして該生体電気インピーダンス記録器に電気的に連結された直交する３対の感知電極；
該患者の胸部に電流を注入するための電流電極；および
接地電極、
を備え、ここで、該直交する３対の感知電極は、大動脈を通る血流の生体電気インピーダンスに対応する信号を発生させ、そして該信号は、該生体電気インピーダンス記録器に提供される、
装置。
【請求項２】  前記電流電極が、前記拡張可能な部材上に配置される、請求項１に記載の装置。
【請求項３】  前記接地電極が、前記チューブ上に配置される、請求項１に記載の装置。
【請求項４】  前記拡張可能な部材が、膨張可能なカフを備え、そして前記装置が該膨張可能なカフを膨張させるための管腔をさらに備える、請求項１に記載の装置。
【請求項５】  少なくとも１つの感知電極が、前記直交する３対の感知電極の少なくとも２つに属する、請求項１に記載の装置。
【請求項６】  前記直交する３対の感知電極が、５つの感知電極を備える、請求項５に記載の装置。
【請求項７】  前記チューブが、気管内チューブであって、そして前記拡張可能な部材が、前記直交する３対の感知電極を前記患者の気管粘膜と接触するように促進するために適合されている、請求項１に記載の装置。
【請求項８】  前記チューブが、口、鼻通路、または気管切開口を介して前記患者の気管内に挿入されるように適合されている、請求項７に記載の装置。
【請求項９】  前記チューブが食道チューブであって、前記拡張可能な部材が、前記直交する３対の感知電極を前記患者の食道の内部と接触するように促進するために適合されている、請求項１に記載の装置。
【請求項１０】  前記遠位部分上に配置された聴診器バルーンをさらに備える、請求項９に記載の装置であって、該聴診器バルーンは、該装置が食道の聴診器として使用されることを可能にする、装置。
【請求項１１】  前記遠位部分上に配置されたサーミスタをさらに備える、請求項１０に記載の装置であって、該サーミスタは、前記食道内の温度を示す信号を提供する、装置。
【請求項１２】  前記チューブの円周配向を決定するために、該チューブの近位端上に参照マークをさらに備える、請求項１に記載の装置。
【請求項１３】  前記電流電極が、前記インピーダンス記録器に電気的に連結されていて、該インピーダンス記録器が、予め決められた周波数を有する交流電流を、該電流電極を介して注入する、請求項１に記載の装置。
【請求項１４】  前記インピーダンス記録器に連結されたコンピュータをさらに備える、請求項１に記載の装置であって、該コンピュータが、前記大動脈を通る血流の生体電気インピーダンスに対応する信号から発生されたデジタル化信号を受信する、装置。
【請求項１５】  前記コンピュータが、前記デジタル化信号から心室一回拍出量に対する測定基準を計算するためのマルチパラメータルゴリズムを用いるようにプログラムされている、請求項１４に記載の装置。
【請求項１６】  前記コンピュータが、心室一回拍出量に対する前記測定基準から、前記患者の心拍出量に対応する前記測定基準を計算するようにさらにプログラムされている、請求項１５に記載の装置。
【請求項１７】  前記患者の脈管系に流体を注入するための流体投与システムをさらに備える、請求項１に記載の装置であって、該流体投与システムは、前記心拍出量に対応する前記測定基準に応答する、装置。
【請求項１８】  前記患者の脈管系に医薬を注入するための薬物投与システムをさらに備える、請求項１に記載の装置であって、該薬物投与システムは、前記心拍出量に対応する測定基準に応答する、装置。
【請求項１９】  前記医薬が、１以上のドブタミン、ドーパミン、エピネフリン、ノルエピネフリンおよびニトロプルシドを含む、請求項１８に記載の装置。
【請求項２０】  前記患者の心拍をコントロールするペースメーカーをさらに備える、請求項１に記載の装置であって、該ペースメーカーは、前記心拍出量に対応する測定基準に応答する、装置。
【請求項２１】  生物の心拍出量を測定するための装置であって、該装置は、以下：
大動脈の近傍において該生物内に、直交する３対の感知電極を配置するための手段；
電流電極を介して該生物の胸部に電流を注入するための手段；
該電流電極と接地電極との間に電圧を印加するための手段であって、その結果、電流が、該電流電極と該接地電極との間に配置された該生物の組織を通って流れる、手段；および
該生物の該組織内を流れる該電流によって引き起こされる感知電極の該直行する３対の感知電極にわたって引き起こされた電圧を検出するための手段であって、該電圧は、該組織の生体電気インピーダンスにおける変化に従って変化する、手段、を備える、装置。
【請求項２２】  直交する３対の感知電極を配置するための手段が、前記生物の気管内に直交する３対の感知電極を配置するための手段を含み、その結果、前記直交する３対の感知電極が、前記大動脈の近くの位置で該生物の気管粘膜に接触する、請求項２１に記載の装置。
【請求項２３】  直交する３対の感知電極を配置するための手段が、前記生物の食道内に直交する３対の感知電極を配置するための手段を含み、その結果、前記直交する３対の感知電極が、前記大動脈の近くの位置で該生物の食道の内表面に接触する、請求項２１に記載の装置。
【請求項２４】  電流を注入するための手段が、前記電流電極と前記接地電極との間に、予め決められた周波数を有する交流電流を注入するための手段を含む、請求項２１に記載の装置。
【請求項２５】  前記電流電極と前記接地電極との間に電圧を印加するための手段、および前記直交する３対の感知電極にわたって発生する電圧を検出するための手段が、連続して適用されるのに適している、請求項２１に記載の装置。
【請求項２６】  マルチパラメータルゴリズムを用いて、前記直交する３対の感知電極によって検出された前記電圧から、心室一回拍出量に対する測定基準を計算するための手段をさらに含む、請求項２１に記載の装置。
【請求項２７】  段階的な多重線形回帰技術を用いて、マルチパラメータルゴリズムを得るための手段をさらに含む、請求項２６に記載の装置。
【請求項２８】  心室一回拍出量に対する測定基準から、前記生物の心拍出量に対する測定基準を計算するための手段をさらに含む、請求項２６に記載の装置。
【請求項２９】  請求項２１に記載の装置であって、以下：
前記生物の血管系へと流体を静脈内注入するための流体投与システム；および
前記直交する３対の感知電極にわたって発生する検出電圧に応答して、該流体投与システムを周期的に作動させるための手段、
をさらに含む、装置。
【請求項３０】  請求項２１に記載の装置であって、以下：
前記生物の脈管系に医薬を静脈内注入するための、薬物投与システム；および
前記直交する３対の感知電極にわたって発生する検出電圧に応答して、該流体投与システムを周期的に作動させるための手段、
をさらに含む、装置。
【請求項３１】  請求項２１に記載の装置であって、以下：
心拍を制御するために、前記生物の心臓に電気的に連結されたペースメーカー；および
心拍出量を最適化するために、前記直交する３対の感知電極にわたって発生した電圧に応答して該心拍を調節するための手段、
をさらに含む、装置。
【請求項３２】  前記心拍を調節するための手段が、予め決められた最少の心拍を得るか、または前記心拍出量が減少していることが測定されるまでかのいずれかまで、該心拍を低下させるための手段を含む、請求項３１に記載の装置。
【請求項３３】  患者の大動脈の近傍の３次元生体インピーダンス場を検出するための装置であって、該装置は、以下：
近位部分および遠位部分を有するチューブ；
該遠位端に配置された拡張可能な部材；
該拡張可能な部材上に配置された直交する３対の感知電極；
該患者の胸部に電流を注入するための電流電極；および
接地電極、
を備え、ここで、該直交する３対の感知電極は、該大動脈を通る血流の生体電気インピーダンスに対応する信号を発生させる、装置。
【請求項３４】  前記電流電極が、前記拡張可能な部材上に配置される、請求項３３に記載の装置。
【請求項３５】  前記接地電極が、前記チューブ上に配置される、請求項３３に記載の装置。
【請求項３６】  前記拡張可能な部材が、膨張可能なカフを備え、かつ前記装置が該膨張可能なカフを膨張させるための管腔をさらに含む、請求項３３に記載の装置。
【請求項３７】  少なくとも１つの感知電極が、前記直交する３対の感知電極の少なくとも２つに属する、請求項３３に記載の装置。
【請求項３８】  前記直交する３対の感知電極が、５つの感知電極を備える、請求項３７に記載の装置。
【請求項３９】  前記チューブが、気管内チューブであって、かつ前記拡張可能な部材が、前記直交する３対の感知電極を前記患者の気管粘膜と接触するように促進するために適合されている、請求項３３に記載の装置。
【請求項４０】  前記チューブが、口、鼻通路、または気管切開口を介して前記患者の気管内に挿入されるように適合されている、請求項３９に記載の装置。
【請求項４１】  前記チューブが食道チューブであって、前記拡張可能な部材が、前記直交する３対の感知電極を前記患者の食道の内部と接触するように促進するために適合されている、請求項３３に記載の装置。
【請求項４２】  前記遠位部分上に配置された聴診器バルーンをさらに備える、請求項４１に記載の装置であって、該聴診器バルーンは、該装置が食道の聴診器として使用されることを可能にする、装置。
【請求項４３】  前記遠位部分上に配置されたサーミスタをさらに備える、請求項３８に記載の装置であって、該サーミスタは、前記食道内の温度を示す信号を提供する、装置。